(57)【特許請求の範囲】
【請求項１】
未使用時に折り畳まれた状態で収容され、使用時に展開して被着体に係止して使用される吸収性物品において、
前記被着体に面する外面領域と；
前記外面領域に形成され、前記被着体に対して当該吸収性物品を係止するための粘着領域と；
前記外面領域に形成され、当該吸収性物品の未使用時に隣接する他の吸収性物品又は同一の吸収性物品の前記粘着領域に接する離型領域とを備え、
前記粘着領域は、前記被着体に着脱可能な粘着面を有する粘着部と；先端が前記粘着面から突出した複数の突起部とを備え、前記突起部は先端に向かって断面積が小さくなる錐状に成形され、
前記離型領域は特別な離型処理を施していない前記外面領域で構成され、
前記粘着領域と離型領域が、前記外面領域の両端部に各々少なくとも１つずつ形成され、当該吸収性物品を二つ折りにした状態において、一端の粘着領域が他端の離型領域と対向するように互い違いに配置され、
前記吸収性物品が１つの包装用袋内に複数配列して収容されたときに、１つの吸収性物品の前記粘着領域が隣の吸収性物品の離型領域と接することを特徴とする吸収性物品。
【請求項２】
請求項１に記載の吸収性物品を収容する包装体において、
前記複数の吸収性物品を収容する内側面について、最も外側の前記吸収性物品の前記粘着領域に対して着脱可能な離型処理が施されていることを特徴とする包装体。
【請求項３】
前記粘着領域と前記離型領域との剥離力が、以下の測定条件のもとでは、いずれか狭い方の幅あたり５Ｎ（５１０ｇｆ）以下であることを特徴とする請求項１又は２に記載の吸収性物品。
（１）前記粘着領域が形成されていない部分を第１のチャックで固定する。
（２）前記離型領域の端部を、前記第１のチャックに対向配置された第２のチャックで固定する。
（３）速度５００ｍｍ／秒の速度で前記第１のチャックを引っ張り、前記離型領域が前記粘着領域から剥がれるまでの積分平均荷重を前記剥離力とする。
【請求項４】
前記突起部の先端の角度が６０度〜１２０度であることを特徴とする請求項１，２又は３に記載の吸収性物品。
【請求項５】
前記突起部は、前記粘着面から０．１ｍｍ〜２．０ｍｍ突出し、５ｍｍ以下の間隔をもって配置されていることを特徴とする請求項１，２，３又は４に記載の吸収性物品。
【請求項６】
未使用時に折り畳まれた状態で収容され、使用時に展開して被着体に係止して使用される吸収性物品において、
前記被着体に面する外面領域と；
前記外面領域に形成され、前記被着体に対して当該吸収性物品を係止するための粘着領域と；
前記外面領域に形成され、当該吸収性物品の未使用時に隣接する他の吸収性物品又は同一の吸収性物品の前記粘着領域に接する離型領域とを備え、
前記粘着領域は、前記被着体に着脱可能な粘着面を有する粘着部と；先端が前記粘着面から突出した複数の突起部とを備え、前記突起部は先端に向かって断面積が小さくなる錐状に成形され、
前記離型領域は特別な離型処理を施していない前記外面領域で構成され、
前記粘着領域及び離型領域は、当該吸収性物品の長手方向両端近傍に形成され、当該吸収性物品の未使用時には、前記離型領域が形成された前記両端を内側中央付近に向かって折り込み、更に、同一物品内の一端の前記粘着領域と他端の前記離型領域とが接するように当該吸収性物品を四つ折りにすることを特徴とする吸収性物品。
【請求項７】
前記粘着領域と前記離型領域との剥離力が、以下の測定条件のもとでは、いずれか狭い方の幅あたり５Ｎ（５１０ｇｆ）以下であることを特徴とする請求項６に記載の吸収性物品。
（１）前記粘着領域が形成されていない部分を第１のチャックで固定する。
（２）前記離型領域の端部を、前記第１のチャックに対向配置された第２のチャックで固定する。
（３）速度５００ｍｍ／秒の速度で前記第１のチャックを引っ張り、前記離型領域が前記粘着領域から剥がれるまでの積分平均荷重を前記剥離力とする。
【請求項８】
前記突起部の先端の角度が６０度〜１２０度であることを特徴とする請求項６又は７に記載の吸収性物品。
【請求項９】
前記突起部は、前記粘着面から０．１ｍｍ〜２．０ｍｍ突出し、５ｍｍ以下の間隔をもって配置されていることを特徴とする請求項６，７又は８に記載の吸収性物品。
【発明の詳細な説明】
【０００１】
【発明の属する技術分野】
本発明は、例えば、下着等の内側に固定して使用する失禁用尿取りパッド、生理用ナプキン等の吸収性物品に関する。
【０００２】
【従来の技術】
一般的に、吸収性物品は、液体透過性の内面シートと液体不透過性の外面シートと、これら両シート間に介在される吸収コアとから構成される。内面シートは着用者の肌側に面し、外面シートは下着側に面する。従来、吸収性物品の装着時におけるズレを防止するため、パンツ等の下着に貼り付く粘着剤を外面シートに設けている。未使用時においては、粘着剤の粘着面を保護するために、離型紙（保護フィルム）が当該粘着面に貼り付けている。そして、使用時に当該離型紙を剥がして廃棄するようになっている。
【０００３】
【発明が解決しようとする課題】
しかしながら、従来の吸収性物品においては、使用時（装着時）に離型紙を剥がし、廃棄する手間が掛かり煩雑であった。また、離型紙の製造及び貼り付けが必要なため、吸収性物品全体としての製造コスト削減の妨げになる場合もある。
【０００４】
本発明は上記のような状況に鑑みて成されたものであり、装着が容易、且つコスト低減に寄与し得る吸収性物品を提供することを目的とする。
【０００５】
また、離型紙などの別部材を用いることなく、吸収性物品の装着時及び装着中において最適な係合力を発揮する吸収性物品を提供することを他の目的とする。
【０００６】
【課題を解決するための手段】
本出願の請求項１に記載の発明は、上記課題を解決するために、未使用時に折り畳まれた状態で収容され、使用時に展開して被着体に係止して使用される吸収性物品において、前記被着体に面する外面領域と；前記外面領域に形成され、前記被着体に対して当該吸収性物品を係止するための粘着領域と；前記外面領域に形成され、当該吸収性物品の未使用時に隣接する他の吸収性物品又は同一の吸収性物品の前記粘着領域に接する離型領域とを備え、前記粘着領域は、前記被着体に着脱可能な粘着面を有する粘着部と；先端が前記粘着面から突出した複数の突起部とを備え、前記突起部は先端に向かって断面積が小さくなる錐状に成形され、前記離型領域は特別な離型処理を施していない前記外面領域で構成され、前記粘着領域と離型領域が、前記外面領域の両端部に各々少なくとも１つずつ形成され、当該吸収性物品を二つ折りにした状態において、一端の粘着領域が他端の離型領域と対向するように互い違いに配置され、前記吸収性物品が１つの包装用袋内に複数配列して収容されたときに、１つの吸収性物品の前記粘着領域が隣の吸収性物品の離型領域と接することを特徴とする。
【０００７】
上記のような請求項１に記載の発明によれば、使用時（装着時）に離型紙を剥がし、廃棄する手間が掛からない。また、離型紙の製造及び貼り付けが不要となり、吸収性物品全体としての製造コスト削減に寄与することになる。更に、吸収性物品の装着時及び装着中において最適な係合力を発揮し得るという効果がある。
【０００８】
本出願の請求項２に記載の発明は、請求項１に記載の吸収性物品を収容する包装体であって、前記複数の吸収性物品を収容する内側面について、最も外側の前記吸収性物品の前記粘着領域に対して着脱可能な離型処理が施されている。
【０００９】
本出願の請求項３に記載の発明においては、前記粘着領域と前記離型領域との剥離力が、以下の測定条件のもとでは、いずれか狭い方の幅あたり５Ｎ（５１０ｇｆ）以下としている。
（１）前記粘着領域が形成されていない部分を第１のチャックで固定する。
（２）前記離型領域の端部を、前記第１のチャックに対向配置された第２のチャックで固定する。
（３）速度５００ｍｍ／秒の速度で前記第１のチャックを引っ張り、前記離型領域が前記粘着領域から剥がれるまでの積分平均荷重を前記剥離力とする。
【００１０】
本出願の請求項４に記載の発明においては、前記突起部の先端の角度が６０度〜１２０度としている。更に、請求項５に記載の発明においては、前記突起部は、前記粘着面から０．１ｍｍ〜２．０ｍｍ突出し、５ｍｍ以下の間隔をもって配置される。
【００１１】
本出願の請求項６に記載の発明は、未使用時に折り畳まれた状態で収容され、使用時に展開して被着体に係止して使用される吸収性物品において、前記被着体に面する外面領域と；前記外面領域に形成され、前記被着体に対して当該吸収性物品を係止するための粘着領域と；前記外面領域に形成され、当該吸収性物品の未使用時に隣接する他の吸収性物品又は同一の吸収性物品の前記粘着領域に接する離型領域とを備え、前記粘着領域は、前記被着体に着脱可能な粘着面を有する粘着部と；先端が前記粘着面から突出した複数の突起部とを備え、前記突起部は先端に向かって断面積が小さくなる錐状に成形され、前記離型領域は特別な離型処理を施していない前記外面領域で構成され、前記粘着領域及び離型領域は、当該吸収性物品の長手方向両端近傍に形成され、当該吸収性物品の未使用時には、前記離型領域が形成された前記両端を内側中央付近に向かって折り込み、更に、同一物品内の一端の前記粘着領域と他端の前記離型領域とが接するように当該吸収性物品を四つ折りにすることを特徴とする。
【００１２】
本出願の請求項７に記載の発明においては、前記粘着領域と前記離型領域との剥離力が、以下の測定条件のもとでは、いずれか狭い方の幅あたり５Ｎ（５１０ｇｆ）以下としている。
（１）前記粘着領域が形成されていない部分を第１のチャックで固定する。
（２）前記離型領域の端部を、前記第１のチャックに対向配置された第２のチャックで固定する。
（３）速度５００ｍｍ／秒の速度で前記第１のチャックを引っ張り、前記離型領域が前記粘着領域から剥がれるまでの積分平均荷重を前記剥離力とする。
【００１３】
本出願の請求項８に記載の発明においては、前記突起部の先端の角度が６０度〜１２０度としている。更に、請求項９に記載の発明においては、前記突起部は、前記粘着面から０．１ｍｍ〜２．０ｍｍ突出し、５ｍｍ以下の間隔をもって配置される。
【００１４】
【発明の実施の形態】
以下、本発明の実施の形態につき、失禁用吸収パッドを例にとって説明する。なお、本発明は失禁用吸収パッドに限らず、生理用ナプキンなど下着等の被着体に固定して使用するタイプの種々の吸収性物品に適用可能である。
【００１５】
図１は、本発明の第１の実施例に係る失禁用吸収パッド１０の構造を示す平面図である。図２及び図３は、失禁用吸収パッド１０の内部構造を示す断面図である。本実施例に係る失禁用吸収パッド１０は、未使用時に折り畳まれた状態で収容され、使用時に展開してパンツ等の被着体の内側に装着して使用される。吸収パッド１０は概ね長方形状に成形され、液体透過性の内面シート１２と；液体不透過性の外面シート１４と；内面シート１２と外面シート１４との間に配置された吸収体１６と；長手方向の縁部に配置されたサイドシート２６とを備えている。
【００１６】
サイドシート２６は、外面シート１４から内面シート１２に渡って、これら２枚のシート１２，１４を挟み込みように設けられている。サイドシート２６と外面シート１４との間には、糸状の弾性部材３０が、幅方向両縁部に各々２本挿入されている。また、内面シート１２側のサイドシート２６の縁部には、各々１本ずつの糸状の弾性部材２８が巻き込まれた状態で配置されている。これら合計４本弾性部材２８，３０は、吸収パッド１０の長手方向に平行に配置される。
【００１７】
図１において、外面シート１４上の左側端部の外側には、吸収パッド１０の幅方向に延びる粘着部１８ａが設けられ、当該粘着部１８ａの隣接する内側には離型紙２０ａが設けられている。一方、外面シート１４上の右側端部の外側には、吸収パッド１０の幅方向に延びる離型紙２０ｂが設けられ、当該離型紙２０ｂの隣接する内側には粘着部１８ｂが設けられている。そして、図４に示すように、内面シート１２を合わせるように２つに折り畳んだ時に、粘着部１８ａと離型紙２０ｂが対向し、粘着部１８ｂと離型紙２０ａが対向することになる。
【００１８】
ここで、離型紙２０ａとしては、例えば、片面にシリコーン系又は長鎖アルキル系剥離処理剤にて剥離処理層を形成したフィルム等を使用することができる。また、外面シート１４の表面に離型処理を施すことも可能である。離型処理の方法は、裏面シート用フィルム又は不織布に、直接上記剥離処理剤を塗布したり、有機酸エステルやパラフィンワックス等の表面改質剤を塗布又は練り込むこと等がある。また、接着する有効面積を減らすために、熱エンボス等で表面粗度を向上させても良い。
【００１９】
図５は、上記のような構成の吸収パッド１０を圧縮状態で複数整列させて、熱可塑性樹脂製の包装袋５０に封入した様子を示す。図に示すように、隣り合う２つの吸収パッドにおいて、一方の粘着部が他方の離型紙と接するようになる。
【００２０】
ここで、粘着部と離型紙との剥離力は、いずれか狭い方（通常は粘着部）の幅あたり５Ｎ（５１０ｇｆ）以下とすることが好ましい。すなわち、５Ｎ以下の剥離力を前提として、粘着部の幅及び粘着剤の粘着力を設定することになる。剥離力が５Ｎ以上になると、吸収パッド１０にダメージを与える可能性が高まる。
【００２１】
上述した剥離力の測定に際しては、Ｔ型ピーリング法を採用し、サンプルとなる吸収パッドの粘着部が設けられていない部分をチャック幅６５ｍｍの下チャックで固定し、離型紙の先端をチャック幅６５ｍｍの上チャックで固定する。この時、上チャックと下チャックとの間隔を２５ｍｍとする。このような状態で、速度５００ｍｍ／秒の速度により、離型紙が剥がれるまで上チャックを引っ張る。そして、離型紙が剥がれるまでの積分平均荷重を算出する。
【００２２】
包装袋５０内において、最も外側の吸収パッド１０に関しては、粘着部１８ａ，１８ｂが包装袋５０の内面に接することになる。そこで、当該袋５０の内面において、少なくとも粘着部１８ａ、１８ｂが接する部分に離型処理を施し、離型紙２０ａ，２０ｂと同じ機能を付与することが好ましい。
【００２３】
本実施例に係る吸収パッド１０を収容する際には、図４に示すように、パッド６０の両端を内側で合わせるように二つ折りにする。そして、図５に示すように、折り畳まれた吸収パッド１０を複数整列させ、これらを包装袋５０に収容する。
【００２４】
本実施例に係る吸収パッド１０を使用する際には、包装袋５０から図５に示すように折り畳まれた吸収パッド１０を取り出して展開し、粘着部１８ａ，１８ｂによって当該パッド１０を下着等の被着体の内側に固定する。
【００２５】
以上説明したように、本実施例によれば、吸収パッド１０の装着時に離型紙を剥がす必要が無く、装着動作が簡素化されるという効果がある。また、離型紙を別部材として設ける必要がないため、吸収パッド１０全体としてのコスト低減に寄与し得る。更に、包装袋５０内において隣り合うパッド１０同士が密着しているため、パッケージ内での製品の整列状態の形態保持性が高く、保管時及び搬送時にバラバラにならないというメリットもある。
【００２６】
図６は、本発明の第２の実施例に係る失禁用吸収パッド６０の構造を示す側面である。また、図７は、第２の実施例に係る失禁用吸収パッド６０の収容時（未使用時）の姿勢を示す側面図である。本実施例も上述した第１の実施例と同様に、未使用時に折り畳まれた状態で収容され、使用時に展開して被着体に係止して使用される構成である。本実施例と上述した第１の実施例とは、基本的な構造は同一であるが、未使用時の折り畳み方、及び収容形態がことなる。すなわち、上記第１の実施例においては吸収パッド１０を二つ折りにし、複数のパッドを同一の包装袋５０内に整列して収容することを前提としているのに対し、本実施例においては、吸収パッド６０を四つ折りにして１つずつ個別に包装可能な構成となっている。
【００２７】
第１の実施例の場合と同様に、外面シート上の一端（図の右側）の外側には、吸収パッド６０の幅方向に延びる粘着部６２ｂが設けられ、当該粘着部６２ｂに隣接する内側には離型紙６４ｂが設けられている。一方、外面シート上の他端（図の左側）の外側には、吸収パッド６０の幅方向に延びる離型紙６４ａが設けられ、当該離型紙６４ａに隣接する内側には粘着部６２ａが設けられている。そして、図７に示すように、内面シートを合わせるように２つに折り畳んだ時に、粘着部６２ａと離型紙６４ｂが対向し、粘着部６２ｂと離型紙６４ａが対向することになる。
【００２８】
すなわち、本実施例によれば、同一の吸収性物品内において、一端の粘着部と他端の離型紙が接し、一端の離型紙と他端の粘着部とが接する構成となっている。本実施例に係る吸収パッド６０を収容する際には、最初に、図６に示すように、パッド６０の両端を内側中心に向かって折り込む。更に、図７に示すように、一端の粘着領域と他端の離型紙とが接するように当該パッド６０を四つ折りにする。そして、折り畳まれた吸収パッド６０を個別包装袋（図示せず）に収容する。
【００２９】
本実施例に係る吸収パッド６０を使用する際には、図示しない包装袋から図７に示すように折り畳まれた吸収パッド６０を展開し、粘着部６２ａ，６２ｂによって当該パッド６０を下着等の被着体の内側に固定する。
【００３０】
以上説明したように、本実施例によれば、上述した第１の実施例と同様に、吸収性物品６０の装着時に離型紙を剥がす必要が無く、装着動作が簡素化されるという効果がある。また、離型紙を別部材として設ける必要がないため、吸収性物品６０全体としてのコスト低減に寄与し得る。更に、収容時の吸収パッド６０の形態保持性が高く、コンパクトな状態のまま容易に携帯できるという利点がある。
【００３１】
図８は、第３の実施例に係る失禁用吸収パッドに使用される係止部材（粘着部）７０の構造を示す拡大斜視図である。図８に示す係止部材７０は、上述した第１及び第２の実施例における粘着部１８ａ，１８ｂ，６２ａ，６２ｂに代えて使用するものである。なお、本実施例に係る係止部材７０を採用した場合には、当該係止部材７０を保護する離型紙の使用及び特別な離型処理を必要としない。ここで、係止部材７０を第１及び第２の実施例に適用する際には、図９に示すように、二つ折り又は四つ折りにした時に、吸収パッド１０（６０）の両端に配置される係止部材７０同士が対向、重なり合わないようにする。
【００３２】
係止部材７０は、例えば、幅１００ｍｍ×長さ１５ｍｍの長方形状とし、吸収パッドを幅方向に渡って固定できるように、横長に貼り付けられる。
【００３３】
係止部材７０は、基材に取り付けられた円錐状の複数の突起部３６の隙間に粘着剤３４を充填して成形される。突起部３６のサイズは、パンツ等の被着体を構成する不織布の繊維間や、ニット織物の繊維間に侵入できるように設定する。すなわち、突起部３６の先端部の角度は、１５〜１５０°程度、好ましくは、６０°〜１２０°とする。なお、先端部を曲面形状に丸めることもできる。
【００３４】
突起部３６の先端の形状において重要なのは、フックのような引っかかりを設けないことである。フック形状（カギ状）にすると、被着体の生地に係合し、剥がすときに繊維が引っかかり、大きな音を発することがある。本実施例においては、突起部３６の先端に引っかかりのない円錐状としているため、当該突起部３６は被着体の生地に容易に侵入するが、引っかかることが無い。このため、垂直方向の係合力は殆ど生じない。ただし、突起部３６は生地の繊維間に侵入するため、若干の係合力が発生し、仮止め効果を発揮する。また、吸収パッドを被着体に装着した状態では、突起部３６が生地の繊維間に侵入しているため、水平方向には比較的強い係合力（抵抗力）を発揮する。
【００３５】
突起部３６は、係止部材７０の表面を指で軽く触っただけでは粘着剤の粘着を感じない（ベトベトしない）程度に密に配置する。例えば、隣り合う突起部３６同士の間隔（粘着剤の露出幅）を５ｍｍ以下、好ましくは３ｍｍ以下とする。また、突起部３６の高さは、粘着剤層３４の表面から０．１ｍｍ〜２．０ｍｍ程度とすることが好ましい。
【００３６】
吸収体１６は、内面シート１２や外面シート１４に比べて、厚み及び剛性が高いため、係止部材７０を吸収体１６の存在する領域に配置することにより、被着体が柔軟な場合にも、小さな力で係止部７０を被着体に接着させることができる。係止部材７０を設けた部分の吸収パッドのガーレー剛性値は、例えば、０．０５ｇ以上、好ましくは０．１ｇ以上とする。
【００３７】
係止部材７０の位置を、着用者の股間などの動きの大きな部分でなく、吸収パッドの長手方向端部とすることにより、当該吸収パッドを確実に被着体に固定することが可能となる。
【００３８】
係止部材７０の突起部３６の先端にフック状の引っかかりがないため、着脱を繰り返した場合にも、パンツ等の被着体の生地、繊維を傷つけることがない。また、突起部３６の先端は被着体の繊維の中に垂直に侵入しているだけであり、吸収パッドを被着体から剥がす際に大きな音を発することがない。更に、粘着剤３４が突起部３６の隙間に塗布されているため、粘着剤３４の凝縮破壊によってパンツ等の被着体に粘着剤が残ってしまうようなことがない。
【００３９】
以上、説明したように、本実施例においては、吸収パッドの固定手段として突起３６を有する係止部材７０を採用するため、当該係止部材７０を保護する離型紙の使用及び特別な離型処理を必要とせず、取り扱いが更に容易となる。
【００４０】
以上、本発明の実施の形態について説明したが、本発明はこれに限定されるものではなく、特許請求の範囲に示された技術的思想の範囲内で適宜設計変更可能であることは言うまでもない。本発明の吸収性物品としては、失禁用吸収パッドの他に、生理用ナプキンなど、下着などの被着体に固定して使用することが好ましい、あるゆるタイプの吸収性物品に適用可能である。
【００４１】
【発明の効果】
以上説明したように、本出願に係る各発明によれば、使用時（装着時）に離型紙を剥がし、廃棄する手間が掛からない。また、離型紙の製造及び貼り付けが不要となり、吸収性物品全体としての製造コスト削減に寄与することになる。更に、吸収性物品の装着時及び装着中において最適な係合力を発揮し得るという効果がある。
【図面の簡単な説明】
【図１】図１は、本発明の第１の実施例に係る失禁用吸収パッドの構造を示す平面図（一部断面）である。
【図２】図２は、図１のＡ−Ａ’方向の断面図である。
【図３】図３は、図１のＢ−Ｂ’方向及びＣ−Ｃ’方向の断面図である。
【図４】図４は、第１の実施例に係る個々の失禁用吸収パッドの収容時（未使用時）の姿勢を示す側面図である。
【図５】図５は、第１の実施例に係る吸収パッドを圧縮状態で複数整列させて、熱可塑性樹脂製の包装袋に封入した様子を示す説明図である。
【図６】図６は、本発明の第２の実施例に係る失禁用吸収パッドの構造を示す側面である。
【図７】図７は、第２の実施例に係る失禁用吸収パッドの収容時（未使用時）の姿勢を示す側面図である。
【図８】図８は、第３の実施例に係る失禁用吸収パッドに使用される係止部材（粘着部）の構造を示す拡大斜視図である。
【図９】図９は、第３の実施例に係る係止部材を使用した失禁用吸収パッドの構成を示す平面図（一部断面）である。
【符号の説明】
１０，６０      失禁用吸収パッド（吸収性物品）
１２      内面シート
１４      外面シート
１８ａ，１８ｂ，６２ａ，６２ｂ      粘着部（粘着領域）
２０ａ，２０ｂ，６４ａ，６４ｂ      離型紙（離型系領域）
３４      粘着剤層
３６      突起部
７０      係止部材
【図１】
0003987328.tif 000002
【図２】
0003987328.tif 000003
【図３】
0003987328.tif 000004
【図４】
0003987328.tif 000005
【図５】
0003987328.tif 000006
【図６】
0003987328.tif 000007
【図７】
0003987328.tif 000008
【図８】
0003987328.tif 000009
【図９】
0003987328.tif 000010